(57)【要約】  本発明は移動通信システムにおける基準位置信号の送受信方法及び装置に関し、移動通信システムで参照位置ビーコン信号を送信する基地局の方法において、前記基地局に含まれた複数のセグメントに対するセル識別子を決定する過程と、予め構成されたＬＢＳゾーンで前記セル識別子を用いて前記複数のセグメントに割り当てられたリソースを確認する過程と、前記確認されたリソースを介して参照位置ビーコン信号を送信する過程と、を含む。
2013510501.tif 000002
【特許請求の範囲】
【請求項１】
前記基地局に含まれた複数のセグメントに対するセル識別子を決定する過程と、
予め構成されたＬＢＳゾーンで前記セル識別子を用いて前記複数のセグメントに割り当てられたリソースを確認する過程と、
前記確認されたリソースを介して参照位置ビーコン信号を送信する過程と、を含み、
前記複数のセグメントは同じリソースを割り当てられ、同じ信号を伝送することを特徴とする移動通信システムで参照位置ビーコン信号を送信する基地局の方法。
【請求項２】
信号が受信される少なくとも２つの基地局に含まれた複数のセグメントに対するセル識別子を決定する過程と、
予め構成されたＬＢＳゾーンで前記セル識別子を用いて前記少なくとも２つの基地局それぞれに含まれた複数のセグメントに割り当てられたリソースを確認する過程と、
前記確認されたリソースを介して前記少なくとも２つの基地局から参照位置ビーコン信号を受信する過程と、を含み、
前記複数のセグメントは同じリソースを割り当てられ、同じ信号を伝送することを特徴とする移動通信システムで参照位置ビーコン信号を受信する端末の方法。
【請求項３】
前記基地局に含まれた複数のセグメントに対するセル識別子を決定し、予め構成されたＬＢＳゾーンで前記セル識別子を用いて前記複数のセグメントに割り当てられたリソースを確認する制御部と、
前記確認されたリソースを介して参照位置ビーコン信号を端末に送信する送信部と、を含み、
前記複数のセグメントは同じリソースを割り当てられ、同じ信号を伝送することを特徴とする移動通信システムで参照位置ビーコン信号を送信する基地局の装置。
【請求項４】
信号が受信される少なくとも２つの基地局に含まれた複数のセグメントに対するセル識別子を決定し、予め構成されたＬＢＳゾーンで前記セル識別子を用いて前記少なくとも２つの基地局それぞれに含まれた複数のセグメントに割り当てられたリソースを確認する制御部と、
前記確認されたリソースを介して前記少なくとも２つの基地局から参照位置ビーコン信号を受信する受信部と、を含み、
前記複数のセグメントは同じリソースを割り当てられ、同じ信号を伝送することを特徴とする移動通信システムで参照位置ビーコン信号を受信する端末の装置。
【請求項５】
前記予め構成されたＬＢＳゾーンは、所定数の時間−周波数リソースに分割され、分割されたそれぞれの時間−周波数リソースは互いに異なる隣接セルに割り当てられることを特徴とする請求項１に記載の方法。
【請求項６】
前記予め構成されたＬＢＳゾーンは、所定の数のスーパーフレームの間に少なくとも１つのＯＦＤＭシンボルを用いて構成されることを特徴とする請求項１に記載の方法。
【請求項７】
前記ＬＢＳゾーンを構成するＯＦＤＭシンボルは、所定の周期毎に繰り返されることを特徴とする請求項６に記載の方法。
【請求項８】
前記予め構成されたＬＢＳゾーンが位置したスーパーフレームの情報を端末に送信する過程をさらに含むことを特徴とする請求項１に記載の方法。
【請求項９】
基地局から前記予め構成されたＬＢＳゾーンが位置したスーパーフレームの情報を受信する過程をさらに含むことを特徴とする請求項２に記載の方法。
【請求項１０】
前記送信部は、前記予め構成されたＬＢＳゾーンが位置したスーパーフレームの情報を前記端末に伝送することを特徴とする請求項３に記載の装置。
【請求項１１】
前記受信部は、基地局から前記予め構成されたＬＢＳゾーンが位置したスーパーフレームの情報を受信することを特徴とする請求項４に記載の装置。
【請求項１２】
前記予め構成されたＬＢＳゾーンは、所定数の時間−周波数リソースに分割され、分割されたそれぞれの時間−周波数リソースは互いに異なる隣接セルに割り当てられることを特徴とする請求項４に記載の装置。
【請求項１３】
前記予め構成されたＬＢＳゾーンは、所定の数のスーパーフレームの間に少なくとも１つのＯＦＤＭシンボルを用いて構成されることを特徴とする請求項４に記載の装置。
【請求項１４】
前記ＬＢＳゾーンを構成するＯＦＤＭシンボルは、所定の周期毎に繰り返されることを特徴とする請求項６に記載の装置。
【発明の詳細な説明】
【技術分野】
【０００１】
本発明は移動通信技術に関し、特に基準位置ビーコン信号を送受信する方法及び装置に関する。
【背景技術】
【０００２】
無線位置（Ｒａｄｉｏ  Ｌｏｃａｔｉｏｎ）技術は自動車両位置システム、公共交通分野、タクシースケジューリング分野及び警察追跡分野などで広範囲に適用される。位置ベース情報サービスに対する要求事項が増加するにつれ、前記無線位置技術に対する研究が重視されている。
【０００３】
一般的なセルラーモバイルネットワークで、一般的な無線位置方式は到着時間差法（ＴＤＯＡ：Ｔｉｍｅ  Ｄｉｆｆｅｒｅｎｃｅ  Ｏｆ  Ａｒｒｉｖａｌ）方式を利用して位置を推定する。例えば、２つのセルからの信号が端末に到達する時間差を感知して前記端末の位置を決定する方式である。前記ＴＤＯＡ方式で、端末は位置を決定するために少なくとも三つのセルの信号を必要とし、信号伝送の特定タイムを認知する必要がない。また、前記ＴＤＯＡ方式によりチャネルによって生じた共通エラーを除去して減少させることができる。しかし、サービングセルの信号強度は隣接セルの信号強度より大きいため、サービングセルの強い信号によって隣接セルの信号は干渉を受けるようになって測定エラーが大きくなりヒアリング問題を引き起こす。これにより、Ｅ９１１システムでは、セルで５０メートル内の位置推定エラーが６７％に達し、１５０メートル内の位置推定エラーが９５％に達する。図１は、従来のＴＤＯＡ方式の位置推定エラー曲線を示す。このように、前記従来のＴＤＯＡ方式はＥ９１１の位置推定条件を満たせずにいた。
【０００４】
前記のようなヒアリング問題を解決するために、ＬＢＳゾーンを設ける方式が提供されている。前記ＬＢＳゾーンを設ける方式はフレームの１番目のサブフレームを隣接セルの基準位置ビーコン信号（以下、「基準信号」と称する）を伝送するためのＬＢＳゾーンに設定し、すなわち、前記サブフレームの全ての時間−周波数リソースを利用して隣接セルの基準信号を伝送し、端末が前記ＬＢＳゾーンで隣接セルの基準信号を利用して位置推定を行う方式である。上記のようにＬＢＳゾーンを設ける方式は隣接セルの信号に対してサービングセルの信号が及ぼす干渉を效果的に抑制することができ、位置推定の正確性を向上させることができるが、前記サブフレームでダウンリンクデータ受信応答を伝送することができないためＨＡＲＱの時間同期化に深刻な影響を及ぼすようになる短所がある。
【発明の概要】
【発明が解決しようとする課題】
【０００５】
本発明は上述した問題点を解決するために創案されたものであり、本発明の目的は、移動通信システムでＨＡＲＱの時間同期条件を満たし位置測定の正確性を保証する基準位置ビーコン信号の送受信方法及び装置を提供することにある。
【０００６】
本発明の他の目的は、移動通信システムで複数のセグメントを有するセルに対して基準位置ビーコン信号のためのリソースを割り当てる方法及び装置を提供することにある。
【０００７】
本発明のさらに他の目的は、移動通信システムで１つのセルに含まれた複数のセグメントの基準位置ビーコン信号に対して、同じリソースを割り当てる方法及び装置を提供することにある。
【課題を解決するための手段】
【０００８】
上述した目的を達成するための本発明の第１見地によれば、移動通信システムで基準位置ビーコン信号を送信する基地局の方法は、前記基地局に含まれた複数のセグメントに対するセル識別子を決定する過程と、予め構成されたＬＢＳゾーンで前記セル識別子を用いて前記複数のセグメントに割り当てられたリソースを確認する過程と、前記確認されたリソースを介して基準位置ビーコン信号を送信する過程と、を含み、前記複数のセグメントは同じリソースを割り当てられ、同じ信号を伝送することを特徴とする。
【０００９】
上述した目的を達成するための本発明の第２見地によれば、移動通信システムで基準位置ビーコン信号を受信する端末の方法は、信号が受信される少なくとも２つの基地局に含まれた複数のセグメントに対するセル識別子を決定する過程と、予め構成されたＬＢＳゾーンで前記セル識別子を用いて前記少なくとも２つの基地局それぞれに含まれた複数のセグメントに割り当てられたリソースを確認する過程と、前記確認されたリソースを介して前記少なくとも２つの基地局から基準位置ビーコン信号を受信する過程と、を含み、前記複数のセグメントは同じリソースを割り当てられ、同じ信号を伝送することを特徴とする。
【００１０】
上述した目的を達成するための本発明の第３見地によれば、移動通信システムで基準位置ビーコン信号を送信する基地局の装置は、前記基地局に含まれた複数のセグメントに対するセル識別子を決定し、予め構成されたＬＢＳゾーンで前記セル識別子を用いて前記複数のセグメントに割り当てられたリソースを確認する制御部と、前記確認されたリソースを介して基準位置ビーコン信号を端末に送信する送信部と、を含み、前記複数のセグメントは同じリソースを割り当てられ、同じ信号を伝送することを特徴とする。
【００１１】
上述した目的を達成するための本発明の第４見地によれば、移動通信システムで基準位置ビーコン信号を受信する端末の装置は、信号が受信される少なくとも２つの基地局に含まれた複数のセグメントに対するセル識別子を決定し、予め構成されたＬＢＳゾーンで前記セル識別子を用いて前記少なくとも２つの基地局それぞれに含まれた複数のセグメントに割り当てられたリソースを確認する制御部と、前記確認されたリソースを介して前記少なくとも２つの基地局から基準位置ビーコン信号を受信する受信部と、を含み、前記複数のセグメントは同じリソースを割り当てられ、同じ信号を伝送することを特徴とする。
【発明の効果】
【００１２】
上述のように、本発明はスーパーフレームのダウンリンクサブフレームで全てのＯＦＤＭシンボルによって占有された予め定義された周波数帯域に対応する時間−周波数リソースをＬＢＳゾーンに利用し、他の周波数帯域に対応する前記時間−周波数リソースをデータ信号と制御信号を伝送するために利用することができる。
【００１３】
また、本発明はスーパーフレームの少なくとも２つのダウンリンクサブフレームで一部のＯＦＤＭシンボルによって占有された時間−周波数リソースをＬＢＳゾーンに利用し、前記少なくとも２つのダウンリンクサブフレームで他のＯＦＤＭシンボルによって占有された時間−周波数リソースを制御信号とデータ信号を伝送するために利用することができる。
【００１４】
また、本発明ではＬＢＳゾーンが位置したスーパーフレームの情報を含む指示情報を端末に伝送する。
【図面の簡単な説明】
【００１５】
【図１】従来のＴＤＯＡ方式の位置推定エラー曲線を示す図である。
【図２】本発明による集中モードにおけるＬＢＳゾーンを示す図である。
【図３】本発明の一実施形態による集中モードにおけるＬＢＳゾーンのＰＲＵを示す図である。
【図４】本発明の他の実施形態による集中モードにおけるＬＢＳゾーンのＰＲＵを示す図である。
【図５】本発明による分散モードにおけるＬＢＳゾーンを示す図である。
【図６】本発明の実施形態による分散モードにおけるＦＤＭモードを利用して隣接セルの基準信号に割り当てるリソースを示す図である。
【図７】本発明の実施形態によって図６に示したリソース割り当てモードに対応する基準信号シーケンスを示す図である。
【図８】本発明の実施形態によって分散モードでＴＤＭモードとＦＤＭモードの組み合わせモードを利用して隣接セルの基準信号に割り当てるリソースを示す図である。
【図９】本発明の実施形態によって分散モードでＴＤＭモードとＦＤＭモードを利用して隣接セルの技術信号に割り当てるリソースを示す図である。
【図１０】本発明の実施形態によって図８に示したリソース割り当てモードに対応する基準信号シーケンスを示す図である。
【図１１】本発明の他の実施形態による分散モードにおけるＬＢＳゾーンを示す図である。
【図１２】本発明の他の実施形態によって隣接セルの基準信号に割り当てるリソースを示す図である。
【図１３】本発明の実施形態による基地局で基準信号を送信する手順を示す図である。
【図１４】本発明の実施形態による端末で基準信号を受信する手順を示す図である。
【図１５】本発明による基地局のブロック構成を示す図である。
【図１６】本発明による端末のブロック構成を示す図である。
【発明を実施するための形態】
【００１６】
以下、本発明の好ましい実施形態を添付された図面を参照して説明する。そして、本発明を説明するに当たって、関連する公知機能或いは構成に対する具体的な説明が本発明の要旨を不明確にする恐れがあると判断される場合、その詳細な説明を略する。そして、後述される用語は、本発明においての機能を考慮して定義された用語であってこれはユーザ、運用者の意図または慣例などに応じて異なることがある。したがって、その定義は本明細書全般にわたる内容に基づいて定めなければならない。
【００１７】
以下、本発明ではサブフレームで全てのＯＦＤＭシンボルによって占有された予め定義された周波数帯域に対応する時間−周波数リソースをＬＢＳゾーンに利用するか、またはスーパーフレームの少なくとも２つのダウンリンクサブフレームで一部のＯＦＤＭシンボルによって占有された時間−周波数リソースをＬＢＳゾーンに使用し、サービング基地局がＬＢＳゾーンが位置したスーパーフレームの情報を含む指示情報を端末に伝送し、隣接セルの基地局が端末に参照位置ビーコン信号（以下、「基準信号」と称する）を伝送する。
【００１８】
前記隣接セルの基準信号はＴＤＭモード、ＦＤＭモード又はＴＤＭモードとＦＤＭモードを組み合わせたモードを利用してＬＢＳゾーンで伝送される。
【００１９】
それに応じて、前記端末はサービングセルからＬＢＳゾーンが位置したスーパーフレームの情報を含む指示情報を受信し、前記指示情報に応じて前記ＬＢＳゾーンを介して隣接セルの基準信号を受信して前記端末の位置推定を行う。前記ＬＢＳゾーンはスーパーフレームのダウンリンクサブフレームで全てのＯＦＤＭシンボルによって予め定義された占有された周波数帯域に対応する時間−周波数リソースであるか、またはスーパーフレームの少なくとも２つのダウンリンクサブフレームで一部のＯＦＤＭシンボルによって占有された時間−周波数リソースである。
【００２０】
前記端末はＴＤＭモード、ＦＤＭモード又はＴＤＭモードとＦＤＭモードを組み合わせたモードを利用してＬＢＳゾーンを介して隣接セルの基準信号を受信する。
【００２１】
本発明で前記ＬＢＳゾーンの構成モードは集中モード及び分散モードを含む。前記集中モードは、ＬＢＳゾーンがスーパーフレームのサブフレーム内のリソースで構成され、前記分散モードは、前記ＬＢＳゾーンが所定規則に従って分散されたリソースで構成される。例えば、前記分散モードでＬＢＳゾーンは１つのスーパーフレーム内の特定のサブフレームと他のスーパーフレーム内の特定のサブフレームで構成されるか、１つのスーパーフレーム内の２つのサブフレームで構成されることができる。以下では説明の便宜のために、前記分散モードを１つのスーパーフレームで少なくとも２つのサブフレームでＬＢＳゾーンが構成される場合を例に挙げて説明する。
【００２２】
では、以下の説明では以上で本発明が提案する集中モードと分散モードに対して実施形態を参照して詳細に説明する。
【００２３】
＜集中モード＞
【００２４】
集中モードで、ＬＢＳゾーンはスーパーフレームの１つのサブフレームで構成される。前記ＬＢＳゾーンはサブフレームで全てのＯＦＤＭシンボルの一部の周波数帯域に現れ、前記サブフレームの他の周波数帯域はＡＣＫ又はＮＡＣＫのようなデータ信号とＡ−ＭＡＰ制御信号を伝送するための制御情報ゾーンとデータゾーンに利用できる。すなわち、前記位置基準信号、制御信号とデータ信号はＦＤＭモードを利用してダウンリンクサブフレームで多重送信される。
【００２５】
図２は、本発明による集中モードにおけるＬＢＳゾーンを示す。
【００２６】
前記図２に示すように、１つのスーパーフレームは４つのフレームを含み、ＬＢＳゾーンはいずれか１つのフレームのダウンリンクサブフレームに構成されることができる。例えば、前記図２に示すように、１番目から５番目のサブフレームはダウンリンクサブフレームで、６番目から８番目のサブフレームはアップリンクサブフレームであるフレームのうち、最後のフレームの４番目のサブフレームでＬＢＳゾーンが構成される場合をみてみる。前記４番目のフレームで６つのＯＦＤＭＡシンボルによって占有された予め定義された周波数帯域に対応する時間−周波数リソースはＬＢＳゾーン（グレー領域）に利用し、他の周波数帯域は制御情報ゾーンとデータゾーンに利用する。
【００２７】
この時、前記制御情報ゾーンとデータゾーンによって占有された時間−周波数リソース以外に前記ＬＢＳゾーンによって占有された時間−周波数リソースは位置性能条件を満たすべきである。例えば、Ｅ９１１の位置性能条件を満たした場合、６つのＯＦＤＭシンボルによって占有された１４４つのサブキャリアの時間−周波数リソースが要求される。
【００２８】
図３は、集中モードにおけるＬＢＳゾーンのＰＲＵを示す。前記ＰＲＵは物理層の最小リソース単位である。制御信号とデータ信号に対してチャネル推定を行う時パイロット信号が必要であるので、前記ＬＢＳゾーンでパイロット信号に対する時間−周波数リソースを用意する必要がある。図３に示すように、グレー領域はパイロット信号によって占有された時間−周波数リソースを示し、前記パイロット信号によって占有された時間−周波数リソースを除いた時間−周波数リソースは基準信号を伝送するために利用され得る。また、６つのＯＤＦＭシンボルを含む１つのサブフレームは６つの隣接セルに割り当てられることができる。例えば、前記ＴＤＭモードで１つのＯＦＤＭシンボルは１つの隣接セルに適用される。前記図３に示すように、前記ＬＢＳゾーンで１番目のＯＦＤＭシンボルを第１隣接セルの基準信号を伝送するために使用し、２番目のＯＦＤＭシンボルを第２隣接セルの基準信号を伝送するために使用することができる。すなわち、それぞれのＯＦＤＭシンボルは１つの隣接セルの基準信号を伝送するために使用される。そして、残りのＯＦＤＭシンボルは類似性によって推定できる。
【００２９】
また、前記ＦＤＭモードは各隣接セルの互いに異なるセグメントで基準信号にリソースを割り当てるためにそれぞれのＯＦＤＭシンボルを使用することができる。図３は３つのセグメントを含むそれぞれの隣接セルを例に挙げて示す。ここで、それぞれのセグメントは０、１、２と示す。無論、各隣接セルに含まれたそれぞれのセグメントは差別されず、各隣接セル内の互いに異なるセグメントは同じリソースを割り当てられる。また、前記各隣接セル内の互いに異なるセグメントは同じ信号を伝送する。
【００３０】
前記図３はＴＤＭモードを利用して隣接セルの基準信号にリソースを割り当てる場合を示す。同様に、前記隣接セルの基準信号に対するリソースは図４に示すように、ＦＤＭモードを利用して割り当てられることもできる。
【００３１】
図４は、本発明の他の実施形態による集中モードにおけるＬＢＳゾーンのＰＲＵを示す図である。
【００３２】
前記図４に示すように、ＬＢＳゾーンでそれぞれのＯＦＤＭシンボルは同期的に隣接セルに割り当てられ、隣接セルの基準信号はＦＤＭモードを利用してそれぞれのＯＦＤＭシンボルに対して差別されない。前記図４で０、１、２、３、４、５及び６のそれぞれは６つの隣接セルの基準信号に割り当てられたリソースを識別し、グレーゾーンはパイロット信号によって占有された時間−周波数リソースを示す。
【００３３】
前記ＦＤＭモードを使用する時、同じ周波数上の少なくとも２つの隣接するＯＦＤＭシンボルの時間−周波数リソースは、任意配置（ｒａｎｄｏｍｉｚａｔｉｏｎ）及び干渉回避（ａｎｔｉ−ｉｎｔｅｒｆｅｒｅｎｃｅ）能力を向上させるために互いに異なる隣接セルに割り当てられる。すなわち、前記図４に示すように、１番目のＯＦＤＭシンボルの２番目のリソースブロックは１番目の隣接セル（０のセル）に割り当てられ、２番目のＯＦＤＭシンボルの２番目のリソースブロックは５番目の隣接セル（４のセル）に割り当てられ、３番目のＯＦＤＭシンボルの２番目のリソースブロックは３番目の隣接セル（２のセル）に割り当てられる。
【００３４】
本発明では以下のような式１を用いて隣接セルにセル識別子を割り当てることができる。
【００３５】
【数１】
2013510501.tif 000003
【００３６】
前記式で、ＲＳｉはｉ番目の基準信号を表し、ｉは０からＮ−１であり、この時、Ｎは支援される基準信号の数を表し、ｎはセルのセグメントの数を表し、ＩＤｃｅｌｌＲＳｉはｉ番目の基準信号に対応するセルの識別子を表し、ＩｄｘＲＳｉはＲＳｉのｉから２５５の間のインデックスを表す。セルのＩＤを決定するために、ＩｄｘＲＳｉはｉから２５５の値を有するＮの倍数で増加する。
【００３７】
前記集中モードで、端末はＬＢＳゾーンで各ＯＦＤＭシンボルによって占有された時間−周波数リソースを介して１つの隣接セルの基準信号を受信することができる。この時、各ＯＦＤＭシンボルは互いに異なる１つの隣接セルに対応する。また、前記集中モードで端末は前記ＬＢＳゾーンで各ＯＦＤＭシンボルによって占有された時間−周波数リソースを介して全ての隣接セルの基準信号を受信することができる。この時、前記端末は同じ周波数上の少なくとも２つの隣接ＯＦＤＭシンボルの時間−周波数リソースのそれぞれを介してそれぞれ異なる隣接セルの基準信号を受信する。
【００３８】
＜分散モード＞
【００３９】
分散モードで、ＬＢＳゾーンはスーパーフレームの少なくとも２つのダウンリンクサブフレームで構成される。前記ＬＢＳゾーンは少なくとも２つのダウンリンクサブフレームの一部のＯＦＤＭシンボルを介して現れ、他のＯＦＤＭシンボルは制御情報ゾーンとデータゾーンに利用される。すなわち、前記ＬＢＳゾーン、制御情報ゾーン及びデータゾーンはＦＭＤモードを利用して少なくとも２つのダウンリンクサブフレームで多重送信される。
【００４０】
図５は、本発明による分散モードにおけるＬＢＳゾーンを示す。前記図５に示すように、スーパーフレームの最後のフレームの２番目及び３番目のサブフレームで２つのＯＦＤＭシンボルをＬＢＳゾーンに利用する。無論、前記ＬＢＳゾーンは他の方式で構成されることもできる。例えば、２番目のフレームの一部のサブフレームで一部のＯＦＤＭシンボルをＬＢＳゾーンに構成するか、またはフレームの一部のサブフレームでＮ個のＯＦＤＭシンボルをＬＢＳゾーンに構成することもできる。この時、Ｎは１から６の間の値になる。ここで、図５はＬＢＳゾーンを例に挙げて構成した場合を示す。
【００４１】
図５に示すように、最後のフレームの２番目及び３番目のサブフレームで最後のＯＦＤＭシンボルによって占有された時間−周波数リソースをＬＢＳゾーン（グレーゾーンに図示する）に構成し、２番目及び３番目のサブフレームでＡＣＫ又はＮＡＣＫの送信を保証するために、他のＯＦＤＭシンボルによって占有された時間−周波数リソースは制御情報ゾーンとデータゾーンに利用する。
【００４２】
前記ＬＢＳゾーンでリソースは後述のように、ＦＤＭモード又はＴＤＭモードとＦＤＭモードの組み合わせモードを利用して隣接セルの基準信号に割り当てられることができる。
【００４３】
図６は、ＦＤＭモードを利用して隣接セルの基準信号に割り当てるリソースを示す。図６に示すように、２番目及び３番目のサブフレームの最後のＯＦＤＭシンボルによって構成されたＬＢＳゾーンで、６つのセルはＦＤＭモードを利用して各ＯＦＤＭシンボルのリソースを多重送信する。すなわち、各ＯＦＤＭシンボルは６つの隣接セルの基準信号を運ぶ。
【００４４】
同様に、同じ周波数上のＬＢＳゾーンで少なくとも２つのＯＦＤＭシンボルの時間−周波数リソースは任意配置及び干渉回避能力を向上させるために互いに異なる隣接セルに割り当てられる。図６に示すように、２番目のサブフレームで最後のＯＦＤＭシンボルの１番目のリソースブロックは１番目の隣接セル（０のセル）に割り当てられ、３番目のサブフレームで最後のＯＦＤＭシンボルの１番目のリソースブロックは６番目のセル（５のセル）に割り当てられる。図６で、２つのＯＦＤＭシンボルはＬＢＳゾーンを構成する。もし、さらに多くのＯＦＤＭシンボルがＬＢＳゾーンを構成する場合、例えば、ＬＢＳゾーンを構成するために、４つのサブフレームからそれぞれ１つのＯＦＤＭシンボルが選択されると、時間−周波数リソースはＦＤＭモードを利用して各ＯＦＤＭシンボルの６つの隣接セルの基準信号に割り当てられ、少なくとも２つの隣接するＯＦＤＭシンボルの時間−周波数リソースは互いに異なる隣接するセルに割り当てられる。
【００４５】
図６に示すリソース割り当てモードで、隣接セルの基地局がそれぞれの隣接セルの基準信号を伝送する時、前記基地局は特定の帯域幅に対応するシーケンス長を有する基準信号を伝送できる。
【００４６】
図７は、本発明の実施形態によるリソース割り当てモードに対応する基準信号シーケンスを示す図である。
【００４７】
図７に示すように、所定の隣接セルに割り当てられた帯域幅によって許容されたＦＦＴの長さが１０２４になる時、前記シーケンス長は７２ビットになる。１０２４の単位で、所定の隣接セルに割り当てられた帯域幅によって許容されたＦＦＴの長さが２０４８であれば、前記シーケンス長は１４４ビットになる。この時、前記基準信号シーケンスは次のように構成される。１０２４の長さを有する前記基準信号シーケンスは上位半分（３６ビット）と下位半分（３６ビット）に分割され、１０２４の長さを有する２つの基準信号シーケンスは繰り返される。前記２つの基準信号シーケンスを調節する時、例えば、上位半分が他の上位半分と隣接し、下位半分が他の下位半分と隣接することを回避するために、上位半分と下位半分を隣接するように調節する時、直交モードが適用される。所定の隣接セルに割り当てられた帯域幅によって許容されたＦＦＴの長さが５１２である時、前記シーケンス長は３６ビットになる。この時、１０２４の長さを有する基準信号シーケンスの上位半分と下位半分のうち１つのみが選択される。
【００４８】
図８は、本発明の実施形態によって分散モードでＴＤＭモードとＦＤＭモードの組み合わせモードを利用して隣接セルの基準信号に割り当てるリソースを示す。
【００４９】
前記図８に示すように、２番目のサブフレームの最後のＯＦＤＭシンボルで、リソースは前記ＦＤＭモードを利用して１番目から３番目の隣接セル（図８の０、１、２のセル）の基準信号に割り当てられ、３番目のサブフレームの最後のＯＦＤＭシンボルで、リソースは前記ＦＤＭモードを利用して４番目から６番目の隣接セル（図８の３、４、５のセル）の基準信号に割り当てられる。
【００５０】
図８で２つのＯＦＤＭシンボルはＬＢＳゾーンを構成し、もし、さらに多くのＯＦＤＭシンボルがＬＢＳゾーンを構成する場合、例えば、図９に示すように、４つのサブフレームのそれぞれから１つのＯＦＤＭシンボルが選択されてＬＢＳゾーンを構成すると、リソースはＦＤＭモードとＴＤＭモードの組み合わせモードを利用して割り当てられることができる。
【００５１】
本発明では以下のような式２を用いて隣接セルにセル識別子を割り当てることができる。
【００５２】
【数２】
2013510501.tif 000004
【００５３】
前記式で、ＲＳｉはｉ番目の基準信号を表し、ｉは０からＮ−１であり、この時、Ｎは支援される基準信号の数を表し、ｎはセルのセグメントの数を表し、ＩＤｃｅｌｌＲＳｉはｉ番目の基準信号に対応するセルの識別子を表し、ＩｄｘＲＳｉはＲＳｉのｉから２５５の間のインデックスを表す。セルのＩＤを決定するために、ＩｄｘＲＳｉはｉから２５５の値を有するＮの倍数で増加する。
【００５４】
前記分散モードで、端末はＬＢＳゾーンで各ＯＦＤＭシンボルによって占有された時間−周波数リソースを介して全ての隣接セルの基準信号を受信し、同じ周波数上の少なくとも２つの隣接するＯＦＤＭシンボルの時間−周波数リソースを介して他の隣接セルの基準信号を受信することができる。また、前記端末はＬＢＳゾーンで一部のＯＦＤＭシンボルによって占有された時間−周波数リソースを介して一部隣接セルの基準信号を受信し、前記ＬＢＳゾーンで他のＯＦＤＭシンボルによって占有された時間−周波数リソースを介して他の一部の隣接セルの基準信号を受信し、同じ周波数上の少なくとも２つの隣接するＯＦＤＭシンボルの時間−周波数リソースを介して他の隣接するセルの基準信号を受信することができる。
【００５５】
図８に示すリソース割り当てモードで、隣接セルの基地局がそれぞれの隣接セルの基準信号を伝送する時、前記基地局は特定の帯域幅に対応するシーケンス長を有する基準信号を伝送できる。
【００５６】
図１０は、本発明の実施形態によってリソース割り当てモードに対応する基準信号シーケンスを示す図である。
【００５７】
図１０に示すように、図８に示すリソース割り当てモードで隣接セルに割り当てられた帯域幅が図６に示すリソース割り当てモードで隣接セルに割り当てられた帯域幅より１タイム分大きいので、所定の隣接セルに割り当てられた帯域幅によって許容されたＦＦＴの長さが５１２になる時、前記シーケンス長は７２ビットになる。所定の隣接セルに割り当てられた帯域幅によって許容されたＦＦＴの長さが１０２４であれば、前記シーケンス長は１４４ビットになり、この時、基準信号のシーケンスは次のように構成される。
【００５８】
５１２の長さを有する前記基準信号シーケンスは上位半分（３６ビット）と下位半分（３６ビット）に分割され、５１２の長さを有する２つの基準信号シーケンスは繰り返され、前記２つの基準信号シーケンスが調節される時、例えば、上位半分が他の上位半分と隣接し、下位半分が他の下位半分と隣接することを回避するために、上位半分と下位半分を隣接するように調節される時、直交モードが適用される。所定の隣接セルに割り当てられた帯域幅によって許容されたＦＦＴの長さが２０４８である時、５１２の長さを有する基準信号シーケンスは単位として利用され、前記２つの基準信号が調節される時、直交モードが適用される。他の長さを有する基準信号シーケンスは類推により推論できる。
【００５９】
図１１は、本発明の他の実施形態による分散モードにおけるＬＢＳゾーンを示す図である。
【００６０】
図１１に示すように、分散モードの他の例をみてみると、スーパーフレームで２番目、３番目及び４番目のサブフレームのそれぞれで３つのＯＦＤＭシンボルによって占有された時間−周波数リソースをＬＢＳゾーンに利用し、すなわち、９つのＯＦＤＭシンボルをＬＢＳゾーン（図１１のグレーゾーン）に利用する。任意配置及び干渉回避能力を向上させるために、図１２に示すように、ＦＤＭモードを利用して各ＯＦＤＭシンボルを介して６つの隣接セルの基準信号にリソースを割り当て、同じ周波数上の少なくとも２つの隣接するＯＦＤＭシンボルの時間−周波数リソースを他の隣接するセルに割り当てる。
【００６１】
図１２は、本発明の他の実施形態によって隣接セルの基準信号に割り当てるリソースを示す図である。
【００６２】
前記図１２で、ＬＢＳゾーンが現れる１つのサブフレームを例としてみてみると、１番目から３番目のＯＦＤＭシンボルによって占有された時間−周波数リソースはＬＢＳゾーンに構成され、４番目から６番目のＯＦＤＭシンボルによって占有された時間−周波数リソースは制御情報ゾーンとデータゾーンに用いられ得る。図１２に示すリソースブロックの数字は他の隣接セルに割り当てられたリソースを示す。
【００６３】
分散モードで、ＬＢＳゾーンはサブフレームで一部のＯＦＤＭシンボルの全体の帯域幅リソースを占有し、他のＯＦＤＭシンボルによって占有されたリソースは制御信号とデータ信号を伝送するために使われるので、前記制御信号とデータ信号に対するチャネル推定を行うためのパイロット信号はＬＢＳゾーンに現れない。無論、より良いチャネル推定効果を得るために、前記パイロット信号がＬＢＳゾーンに現れることもでき、この時、前記ＬＢＳゾーンでパイロット信号によって占有された時間−周波数リソースを除いた時間−周波数リソースは基準信号を伝送するために使用される。それに応じて、前記端末はＬＢＳゾーンで時間−周波数リソース又は前記ＬＢＳゾーンでパイロット信号によって占有された時間−周波数リソースを除いた時間−周波数リソースを介して隣接セルの基準信号を受信する。
【００６４】
集中モード又は分散モードのいずれが使用されているかにかかわらず、隣接セルの基地局は前記ＬＢＳゾーンでパイロット信号によって占有された時間−周波数を除いた時間−周波数リソースを介して隣接セルの基準信号を伝送し、サービング基地局はＬＢＳゾーンを含むスーパーフレームの情報を含む指示情報を端末に伝送することによって、前記端末は位置測定を行うためにＬＢＳゾーンで隣接セルの基地局によって伝送された基準信号を受信することができる。前記指示情報はシステム構成ディスクリプション（ＳＣＤ：Ｓｙｓｔｅｍ  Ｃｏｎｆｉｇｕｒａｔｉｏｎ  Ｄｅｓｃｒｉｐｔｉｏｎ）、スーパーフレームヘッドのサブパケットユニット又は位置要求シグナリングによって運ばれる。これは以下で詳細に説明する。
【００６５】
前記指示情報がＳＣＤシグナリングで運ばれる時、運ばれた指示情報は表１のように、スーパーフレームがＬＢＳゾーンを含むかを示す情報（ＬＢＳ−Ｚｏｎｅ  ｉｎｄｉｃａｔｏｒ）、ＬＢＳゾーンの構成モード情報（ＬＢＳ−Ｚｏｎｅ  ｍｏｄｅ）、ＬＢＳゾーンでのスタートスーパーフレームの情報（Ｓｔａｒｔ  Ｓｕｐｅｒ  ｆｒａｍｅ  ｎｕｍｂｅｒ）、ＬＢＳゾーンの構成モードに対応する区間の情報（ＬＢＳ−Ｚｏｎｅ  ｄｕｒａｔｉｏｎ）及びＬＢＳゾーンの周期情報（ＬＢＳ−Ｚｏｎｅ  ｐｅｒｉｏｄ）を含む。
【００６６】
前記ＬＢＳ−Ｚｏｎｅ  ｉｎｄｉｃａｔｏｒはスーパーフレームがＬＢＳゾーンを含むかを示す。もし、前記ＬＢＳ−Ｚｏｎｅ  ｉｎｄｉｃａｔｏｒが０である場合、前記スーパーフレームがＬＢＳゾーンを含まず、全てのスーパーフレームはＬＢＳゾーンを含まない。もし、前記ＬＢＳ−Ｚｏｎｅ  ｉｎｄｉｃａｔｏｒが１であれば、前記スーパーフレームがＬＢＳゾーンを含む。
【００６７】
前記ＬＢＳ−Ｚｏｎｅ  ｍｏｄｅはＬＢＳゾーンの構成モードを示し、１回モード、継続的モード及び周期的モードを含む。前記ＬＢＳ−Ｚｏｎｅ  ｍｏｄｅが１回モードであれば、前記ＬＢＳゾーンは１つのスーパーフレームのみに現れ、前記ＬＢＳ−Ｚｏｎｅ  ｍｏｄｅが継続的モードであれば、前記ＬＢＳゾーンはＳｔａｒｔ  Ｓｕｐｅｒ  ｆｒａｍｅ  ｎｕｍｂｅｒによって指示されたスーパーフレームからそれぞれのスーパーフレームで継続して現れ、前記ＬＢＳ−Ｚｏｎｅ  ｍｏｄｅが周期的モードであれば、前記ＬＢＳゾーンは前記ＬＢＳ−Ｚｏｎｅ  ｐｅｒｉｏｄによって指示された周期に応じてＳｔａｒｔ  Ｓｕｐｅｒ  ｆｒａｍｅ  ｎｕｍｂｅｒによって指示されたスーパーフレームから周期的に現れる。
【００６８】
前記Ｓｔａｒｔ  Ｓｕｐｅｒ  ｆｒａｍｅ  ｎｕｍｂｅｒはＬＢＳゾーンが開始されるスーパーフレームを示す。
【００６９】
前記ＬＢＳ−Ｚｏｎｅ  ｄｕｒａｔｉｏｎはＬＢＳゾーンの構成モードの区間を示す。例えば、前記ＬＢＳ−Ｚｏｎｅ  ｄｕｒａｔｉｏｎはＬＢＳゾーンの構成モードの区間がＮ個のスーパーフレームであることを示す。もし、前記ＬＢＳ−Ｚｏｎｅ  ｍｏｄｅが１回（ｏｎｃｅ）を示す場合、前記ＬＢＳゾーンはＮ個のスーパーフレームで一回のみ現れ、前記ＬＢＳ−Ｚｏｎｅ  ｍｏｄｅが継続（ｃｏｎｔｉｎｕｏｕｓ）を示す場合、前記ＬＢＳゾーンはそれぞれのスーパーフレームで継続して現れ、前記ＴＬＢＳ−Ｚｏｎｅ  ｍｏｄｅが周期（ｐｅｒｉｏｄ）を示す場合、前記ＬＢＳゾーンはＬＢＳ−Ｚｏｎｅ  ｐｅｒｉｏｄの指示に応じてＮ個のスーパーフレームで周期的に現れる。
【００７０】
前記ＬＢＳ−Ｚｏｎｅ  ｐｅｒｉｏｄがＬＢＳゾーンの構成モードが周期的（ｐｅｒｉｏｄ）であることを示す時、数個のスーパーフレームの周期でＬＢＳゾーンを示す。
【００７１】
前記指示情報は表１に示すように、好ましく実施され得る。前記指示情報は表１の一部の内容（ｃｏｎｔｅｎｔ）のみを含むか、または他の内容をさらに含むことができる。例えば、ＬＢＳ−Ｚｏｎｅモードが１回（ｏｎｃｅ）モードであるか、または継続（ｃｏｎｔｉｎｏｕｓ）モードである場合、前記指示情報はＬＢＳ−Ｚｏｎｅ  ｐｅｒｉｏｄを含まず、前記ＬＢＳ−Ｚｏｎｅ  ｄｕｒａｔｉｏｎを必要としない。例えば、前記端末は指示情報を受信すると、異なるＬＢＳ−Ｚｏｎｅモードを含む指示情報を再び受信するまで、前記受信された指示情報に含まれたＬＢＳ−Ｚｏｎｅモードの指示に応じて動作を行う。
【００７２】
【表１】
2013510501.tif 000005
【００７３】
もし、指示情報がＬＢＳ−Ｚｏｎｅモードを含まない場合、前記指示情報は一般的機能の形式に従って次のように示すことができる。
Ｅ−ＬＢＳ−ＺＯＮＥ＿Ｐａｒａｍｅｔｅｒｓ：：=  ＳＥＱＵＥＮＣＥ  ｛
ＬＢＳ＿ｚｏｎｅ−ＯＮ  ＩＮＴＥＧＥＲ  （０．．１）  ＯＰＴＩＯＮＡＬ
ＬＢＳ＿ｓｕｂｆｒａｍｅ＿ｐｏｓｉｔｉｏｎ  ＩＮＴＥＧＥＲ  （０．．７）  ＯＰＴＩＯＮＡＬ
ＬＢＳ＿ｓｙｍｂｏｌ＿ｐｏｓｉｔｉｏｎ  ＩＮＴＥＧＥＲ  （０．．７）  ＯＰＴＩＯＮＡＬ
ＬＢＳ＿ｚｏｎｅ＿ｓｔａｒｔ＿ｓｕｐｅｒｆｒａｍｅ＿ｎｕｍｂｅｒＩＮＴＥＧＥＲ（０．．２５５）  ＯＰＴＩＯＮＡＬ
ＬＢＳ＿ｚｏｎｅ＿ｄｕｒａｔｉｏｎ  ＩＮＴＥＧＥＲ  （０．．２５５）  ＯＰＴＩＯＮＡＬ
ＬＢＳ＿ｚｏｎｅ＿Ｐｅｒｉｏｄ  ＩＮＴＥＧＥＲ  （０．．２５５）  ＯＰＴＩＯＮＡＬ}
【００７４】
前記指示情報がスーパーフレームヘッダのサブパケットユニットで運ばれる時、例えば、前記指示情報が前記スーパーフレームヘッドの２番目のサブパケットで伝送される時、前記運ばれた指示情報は表２のように、現在のスーパーフレームがＬＢＳゾーンを含むかを示す情報（ＬＢＳ−Ｚｏｎｅ  ｉｎｄｉｃａｔｏｒ）を含むことができる。
【００７５】
前記ＬＢＳ−Ｚｏｎｅ  ｉｎｄｉｃａｔｏｒは現在のスーパーフレームがＬＢＳゾーンを含むか否かを示す。もし、前記ＬＢＳ−Ｚｏｎｅ  ｉｎｄｉｃａｔｏｒが０である場合、前記現在のスーパーフレームはＬＢＳゾーンを含まず、前記ＬＢＳ−Ｚｏｎｅ  ｉｎｄｉｃａｔｏｒが１である場合、前記現在のスーパーフレームはＬＢＳゾーンを含む。
【００７６】
【表２】
2013510501.tif 000006
【００７７】
前記指示情報が位置要求シグナリングで運搬されると、前記運ばれた指示情報はＳＣＤシグナリングで運ばれたものと同じである。したがって、以下で詳細な説明は省略する。
【００７８】
上述した指示情報の３つの伝送モードで、スーパーフレームでＬＢＳゾーンの位置は予め構成される、すなわち、隣接セルの基地局と端末はＬＢＳゾーンの予め構成された位置に応じて隣接セルの基準信号を送受信する。さらに、前記ＬＢＳゾーンはリアルタイムで構成されると、前記指示情報はＬＢＳゾーンの位置情報をさらに含むべきである。すなわち、前記指示情報はＳＣＤシグナリング、スーパーフレームヘッド又は位置要求シグナリングで運ばれた指示情報はＬＢＳゾーンの位置情報をさらに含むべきである。具体的に、ＬＢＳゾーンが位置したフレームの情報（ＬＢＳ＿ｆｒａｍｅ＿ｐｏｓｉｔｉｏｎ）、ＬＢＳゾーンが位置したサブフレームの情報（ＬＢＳ＿ｓｕｂｆｒａｍｅ＿ｐｏｓｉｔｉｏｎ）、ＬＢＳゾーンが位置したＯＦＤＭシンボルの情報（ＬＢＳ＿ｓｙｍｂｏｌ＿ｐｏｓｉｔｉｏｎ）をさらに含むべきである。この時、１番目の伝送モードと３番目の伝送モードで運ばれた指示情報は図３に示したものと同じであり、２番目の伝送モードで運ばれた指示情報は図４に示したものと同じである。
【００７９】
【表３】
2013510501.tif 000007
【００８０】
【表４】
2013510501.tif 000008
【００８１】
前記表３及び表４に示す指示情報は、ＳＣＤシグナリングと位置要求シグナリングを用いて伝送され、他のシグナリング、例えば、位置に関わるスキャニングシグナリング、位置放送シグナリングなどを用いて伝送されることもでき、詳細な説明は省略する。
【００８２】
以上で本発明によって提供された方式を詳しく説明したが、以下では本発明によって提供されるシステムを詳しく説明する。前記システムはサービング基地局と隣接セルの基地局を含む。
【００８３】
サービング基地局はＬＢＳゾーンが位置したスーパーフレームの情報を含む指示情報を端末に伝送する。
【００８４】
隣接セルの基地局はＬＢＳゾーンで端末の位置測定のための基準信号を端末に伝送する。
【００８５】
ＬＢＳゾーンはスーパーフレームのダウンリンクサブフレームで全てのＯＦＤＭシンボルによって占有された予め定義された周波数帯域に対応する時間−周波数リソースであるか、またはスーパーフレームの少なくとも２つのダウンリンクサブフレームで一部のＯＦＤＭシンボルによって占有された時間−周波数リソースである。
【００８６】
さらに、前記隣接セルの基地局はＴＤＭモード、ＦＤＭモード又はＴＤＭモードとＦＤＭモードの組み合わせモードを利用してＬＢＳゾーンで基準信号を伝送する。
【００８７】
ＬＢＳゾーンが位置したダウンリンクサブフレームにチャネル推定のためのパイロット信号がある場合があり、もし、ＬＢＳゾーンでパイロット信号の伝送を必要としない場合、隣接セルの基地局はＬＢＳゾーンの全ての時間−周波数リソースを介して隣接セルの基準信号を伝送できる。もし、前記ＬＢＳゾーンでパイロット伝送を必要とする場合、前記隣接セルの基地局はパイロット信号によって占有された時間−リソース周波数を除いたＬＢＳゾーンの全ての時間−周波数リソースを介して隣接セルの基準信号を伝送できる。
【００８８】
前記ＬＢＳゾーンがスーパーフレームのダウンリンクサブフレームで全てのＯＦＤＭシンボルによって占有された予め定義された周波数帯域に対応する時間−周波数リソースである場合、ＬＢＳゾーンでそれぞれのＯＦＤＭシンボルによって占有された時間−周波数リソースは隣接セルのうち１つに割り当てられる。ここで、他のＯＦＤＭシンボルは他の隣接セルに対応する。または前記ＬＢＳゾーンでそれぞれのＯＦＤＭシンボルによって占有された時間−周波数リソースは全ての隣接セルに割り当てられ、同じ周波数上の少なくとも２つの隣接するＯＦＤＭシンボルの時間−周波数リソースは他の隣接するセルに割り当てられる。
【００８９】
スーパーフレームの少なくとも２つのダウンリンクサブフレームで一部のＯＦＤＭシンボルによって占有された時間−周波数リソースはＬＢＳゾーンに利用され、前記ＬＢＳゾーンでそれぞれのＯＦＤＭシンボルによって占有された時間−周波数リソースは全ての隣接するセルに割り当てられ、同じ周波数上の少なくとも２つの隣接するＯＦＤＭシンボルの時間−周波数は他の隣接セルに割り当てられる。又はＬＢＳゾーンで一部のＯＦＤＭシンボルによって占有された時間−周波数リソースは隣接するセルのうち一部に割り当てられ、前記ＬＢＳゾーンで他のＯＦＤＭシンボルによって占有された時間−周波数リソースは隣接するセルのうち他の部分に割り当てられ、同じ周波数上の少なくとも２つの隣接するＯＦＤＭシンボルの時間−周波数リソースは他の隣接セルに割り当てられる。
【００９０】
前記サービング基地局はＳＣＤシグナリング、スーパーフレームヘッドのサブパケットユニット又は位置要求シグナリングで指示情報を運んでＬＢＳゾーンが位置したスーパーフレームの情報を含む前記指示情報を端末に伝送する。
【００９１】
前記指示情報がＳＣＤシグナリング又は位置要求シグナリングで運ばれた場合、前記指示情報はスーパーフレームがＬＢＳゾーンを含むかを示す情報、ＬＢＳゾーンの構成モードの情報、ＬＢＳゾーンでスタートスーパーフレームの情報、ＬＢＳゾーンの構成モードに対応する区間情報及びＬＢＳゾーンの周期情報を含む。
【００９２】
前記指示情報がスーパーフレームヘッドのサブパケットで運ばれた場合、前記指示情報はスーパーフレームヘッドでスーパーフレームがＬＢＳゾーンを含むかを示す情報を含む。
【００９３】
前記指示情報はＬＢＳゾーンが予め構成された場合に使用される。すなわち、前記隣接セルの基地局と端末はＬＢＳゾーンの予め構成された位置に応じて基準信号を送受信する。ＬＢＳゾーンがリアルタイムで構成される場合、例えば、ＬＢＳゾーンのリソースを構成した後、上位階層はサービング基地局と隣接セルの基地局にＬＢＳゾーンのリソース構成について知らせ、指示情報はサービング基地局によってＬＢＳゾーンの位置情報を含んで伝送される。特に前記指示情報はＬＢＳゾーンが位置したフレームの情報、ＬＢＳゾーンが位置したサブフレームの情報、ＬＢＳゾーンが位置したＯＦＤＭシンボルの情報を含んで伝送される。
【００９４】
上述した説明のように、本発明ではスーパーフレームのダウンリンクサブフレームで全てのＯＦＤＭシンボルによって占有された予め定義された周波数帯域に対応する時間−周波数リソースをＬＢＳゾーンに利用し、ダウンリンクサブフレームで他の周波数帯域に対応する時間−周波数リソースを制御信号とデータ信号を伝送するために利用する。又は本発明ではスーパーフレームで少なくとも２つのダウンリンクサブフレームで一部のＯＦＤＭシンボルによって占有された時間−周波数リソースをＬＢＳゾーンに利用し、少なくとも２つのダウンリンクサブフレームで他のＯＦＤＭシンボルによって占有された時間−周波数制御信号とデータ信号を伝送するために利用する。そして、ＬＢＳゾーンが位置したスーパーフレームの情報を含む指示情報は端末に伝送される。この方法により、ＬＢＳゾーンで隣接セルの基準信号が伝送される時、位置測定の正確性を保証することができ、サブフレームでＡＣＫ又はＮＡＣＫを含むデータ信号の伝送を保証することができ、これによりＨＡＲＱの時間同期化条件を満たすことができる。
【００９５】
では、下記図１３乃至図１６を参照して、基準信号を送受信する基地局と端末のブロック構成及び動作手順に対して述べる。ここでは、ＬＢＳゾーンが予め構成されて基地局と端末がＬＢＳゾーンに対する情報を予め知っていると仮定して説明する。
【００９６】
図１３は、本発明の実施形態による基地局で基準信号を送信する手順を示す。
【００９７】
前記図１３に示すように、基地局はステップ１３０１で前記基地局のセル識別子を決定する。ここで、前記基地局が複数のセグメントを持つ場合、前記式１及び式２を用いて前記複数のセグメントそれぞれに対するセル識別子を計算することができる。
【００９８】
その後、前記基地局はステップ１３０３で前記決定されたセル識別子を用いてＬＢＳゾーンで前記基地局に該当する時間−周波数リソースを確認する。この時、前記基地局に含まれたそれぞれのセグメントは差別されず、同じリソースを割り当てられることができる。
【００９９】
その後、前記基地局はステップ１３０５に進んで前記確認された時間−周波数リソースを用いて参照位置ビーコン信号を端末に送信する。この時、前記基地局に含まれたそれぞれのセグメントは前記割り当てられた同じリソースを介して同じ信号を伝送する。
【０１００】
図１４は、本発明の実施形態による端末で基準信号を受信する手順を示す。
【０１０１】
前記図１４に示すように、端末はステップ１４０１でサービング基地局及び隣接基地局のセル識別子を決定する。ここで、前記基地局が複数のセグメントを持つ場合、前記式１及び式２を用いて前記複数のセグメントそれぞれに対するセル識別子を計算することができる。
【０１０２】
その後、前記端末はステップ１４０３で各基地局のセル識別子を用いてＬＢＳゾーンで前記各基地局に該当する時間−周波数リソースを確認する。この時、前記各基地局に含まれたそれぞれのセグメントは差別されず、同じリソースを割り当てられることができる。
【０１０３】
その後、前記端末はステップ１４０５に進んで前記ＬＢＳゾーン内の各基地局に対する時間−周波数リソースを介して前記各基地局から参照位置ビーコン信号を受信する。この時、前記端末は各基地局に含まれたそれぞれのセグメントから同じ信号を受信する。
【０１０４】
図１５は、本発明による基地局のブロック構成を示す。
【０１０５】
前記図１５に示すように、基地局は送受信部１５００及び制御部１５１０を含み、前記制御部１５１０はＬＢＳゾーン送信管理部１５１２を含んで構成される。
【０１０６】
前記送受信部１５００は前記制御部１５１０の制御に応じて端末との送受信信号を処理し、特に、ＬＢＳゾーンで前記基地局のセル識別子に対応するリソースを介して端末に参照位置ビーコン信号を送信する。
【０１０７】
前記制御部１５１０は前記基地局の全般的な動作を制御及び処理し、本発明によってＬＢＳゾーン送信管理部１５１２を含むことで、前記基地局のセル識別子を決定し、予め決定されたＬＢＳゾーンで前記セル識別子に対応する時間−周波数リソースを確認して、該当時間−周波数リソースに参照位置ビーコン信号を送信するための機能を制御及び処理する。ここで、前記制御部１５１０は前記式１及び式２を用いて前記複数のセグメントそれぞれに対するセル識別子を計算することができ、この時、前記複数のセグメントは差別されず、同じリソースを割り当てられることができ、前記割り当てられた同じリソースを介して同じ信号を伝送できる。
【０１０８】
図１６は、本発明による端末のブロック構成を示す。
【０１０９】
前記図１６に示すように、前記端末は送受信部１６００及び制御部１６１０を含み、前記制御部１６１０はＬＢＳゾーン受信管理部１６１２を含んで構成される。
【０１１０】
前記送受信部１６００は前記制御部１６１０の制御に応じて基地局との送受信信号を処理し、特に、予め決定されたＬＢＳゾーンでサービング基地局及び隣接する基地局から参照位置ビーコン信号を受信して前記制御部１６１０に提供する。
【０１１１】
前記制御部１６１０は前記端末の全般的な動作を制御及び処理し、本発明によってＬＢＳゾーン受信管理部１６１２を含むことで、サービング基地局及び隣接基地局のセル識別子を決定し、予め決定されたＬＢＳゾーンで前記基地局のセル識別子に対応する時間−周波数リソースを確認して該当時間−周波数リソースに参照位置ビーコン信号を受信するための機能を制御及び処理する。ここで、前記制御部１６１０は前記式１及び式２を用いて前記基地局それぞれに含まれた複数のセグメントそれぞれに対するセル識別子を計算することができ、この時、１つの基地局内に含まれた複数のセグメントは差別されず、同じリソースを割り当てられることができ、前記割り当てられた同じリソースを介して同じ信号を伝送できる。
【０１１２】
上記のように本発明はＬＢＳゾーンで隣接セルの参照位置ビーコン信号が伝送される場合、位置推定の正確性を保証することができ、サブフレームでＡＣＫ又はＮＡＣＫを含むデータ信号の伝送を保証できるので、ＨＡＲＱの時間同期化条件を満たすことができる効果がある。
【０１１３】
一方、本発明を実施するための形態では具体的な実施形態に関して説明したが、本発明の範囲から逸脱しない限度内で様々な変形が可能である。したがって、本発明の範囲は説明された実施形態に限定されて定められてはならず、後述する特許請求の範囲のみでなくこの特許請求の範囲と均等なものによって定められるべきである。
【符号の説明】
【０１１４】
１５００、１６００  送受信部
１５１０、１６１０  制御部
１５１２  ＬＢＳゾーン送信管理部
１６１２  ＬＢＳゾーン受信管理部
【図１】
2013510501.tif 000009
【図２】
2013510501.tif 000010
【図３】
2013510501.tif 000011
【図４】
2013510501.tif 000012
【図５】
2013510501.tif 000013
【図６】
2013510501.tif 000014
【図７】
2013510501.tif 000015
【図８】
2013510501.tif 000016
【図９】
2013510501.tif 000017
【図１０】
2013510501.tif 000018
【図１１】
2013510501.tif 000019
【図１２】
2013510501.tif 000020
【図１３】
2013510501.tif 000021
【図１４】
2013510501.tif 000022
【図１５】
2013510501.tif 000023
【図１６】
2013510501.tif 000024
【国際調査報告】
2013510501.tif 000025
2013510501.tif 000026